(57)【要約】【課題】居住者が在宅しているか否かの情報を得る精度を向上することができる所在管理システム及び安否確認システムを提供する。【解決手段】集合住宅２の共用ゲート２３３の外側に配設され、認証情報を取得する認証装置２３２と、認証装置２３２により取得された認証情報に基づきその認証情報により識別される住戸に関連して認証を行う玄関側認証処理部５０と、その認証が成功した場合共用ゲートを開く共用ゲート開閉処理部５２と、住戸に居住者が在宅中か否かを示す在宅情報を記憶する在宅情報記憶部５７と、住戸の出入口扉３の開閉情報を取得するカードリーダ３３，３７及び住戸側認証処理部３８１と、玄関側認証処理部５０による認証が成功した後、その認証が成功した住戸の出入口扉３について住戸側認証処理部３８１等により開閉情報が取得されたとき、在宅を示す在宅情報を在宅情報記憶部５７に記憶させる在宅処理部５３とを備えた。【選択図】図３
2016207080.tif 000002
【特許請求の範囲】
【請求項１】
住戸を複数含み、前記複数の住戸に共用される共用ゲートが設けられた集合住宅の前記共用ゲートの外側に配設され、前記複数の住戸をそれぞれ識別可能な情報である認証情報を取得する玄関側第一認証情報取得部と、
前記玄関側第一認証情報取得部によって取得された前記認証情報に基づいて、その認証情報により識別される住戸に関連して認証を行う玄関側認証処理部と、
前記玄関側認証処理部による認証が成功した場合、前記共用ゲートを開く共用ゲート開閉処理部と、
前記複数の住戸のうち少なくとも一つの住戸と対応付けて、その住戸に居住者が在宅中か否かを示す在宅情報を記憶する在宅情報記憶部と、
前記住戸の出入口の扉である出入口扉の開閉に関する開閉情報を取得する開閉情報取得部と、
前記玄関側認証処理部による認証が成功した後、その認証が成功した住戸の出入口扉について前記開閉情報取得部によって前記開閉情報が取得されたとき、その住戸に対応して、在宅を示す前記在宅情報を前記在宅情報記憶部に記憶させる在宅記憶処理を実行する在宅処理部とを備える所在管理システム。
【請求項２】
前記共用ゲートの近傍において前記認証情報を取得する玄関側第二認証情報取得部をさらに備え、
前記玄関側認証処理部は、さらに、前記玄関側第二認証情報取得部によって取得された前記認証情報に基づいて、その認証情報により識別される住戸に関連して認証を実行し、
前記在宅処理部は、さらに、前記少なくとも一つの住戸の前記出入口扉について前記開閉情報が前記開閉情報取得部によって取得された後、その住戸に関連して前記玄関側認証処理部による前記認証が成功したとき、その住戸に対応して、不在を示す前記在宅情報を前記在宅情報記憶部に記憶させる不在記憶処理を実行する請求項１記載の所在管理システム。
【請求項３】
前記玄関側認証処理部による認証が成功してから、その認証が成功した住戸の出入口扉について前記開閉情報取得部によって前記開閉情報が取得されるまでの期間、その住戸の居住者が、その住戸外であって前記集合住宅内に存在すると判定する住戸外判定部をさらに備える請求項１又は２に記載の所在管理システム。
【請求項４】
前記少なくとも一つの住戸の前記出入口扉について前記開閉情報が前記開閉情報取得部によって取得された後、その住戸に関連して前記玄関側認証処理部による前記認証が成功するまでの期間、その住戸の居住者が、その住戸外であって前記集合住宅内に存在すると判定する住戸外判定部をさらに備える請求項２記載の所在管理システム。
【請求項５】
前記開閉情報取得部は、
前記少なくとも一つの住戸に対応してその住戸の出入口の外側に配設され、前記認証情報を取得する住戸側第一認証情報取得部と、
前記住戸側第一認証情報取得部によって取得された前記認証情報に基づいて、その住戸側第一認証情報取得部と対応する住戸である第一住戸に関連して認証を行う住戸側第一認証処理部とを含み、
前記所在管理システムは、
前記住戸側第一認証処理部による認証が成功した場合、前記第一住戸の前記出入口扉を解錠する第一扉解錠処理部とをさらに備え、
前記開閉情報取得部は、
前記住戸側第一認証処理部による認証の成功及び前記第一扉解錠処理部による解錠のうち少なくとも一つに基づいて、前記開閉情報を取得する請求項１〜４のいずれか１項に記載の所在管理システム。
【請求項６】
前記住戸側第一認証情報取得部は、前記出入口扉に取り付けられている請求項５に記載の所在管理システム。
【請求項７】
前記開閉情報取得部は、
前記少なくとも一つの住戸に対応してその住戸の出入口の内側に配設され、前記認証情報を取得する住戸側第二認証情報取得部と、
前記住戸側第二認証情報取得部によって取得された前記認証情報に基づいて、その住戸側第二認証情報取得部と対応する住戸である第二住戸に関連して認証を行う住戸側第二認証処理部とを含み、
前記所在管理システムは、
前記住戸側第二認証処理部による認証が成功した場合、前記第二住戸の前記出入口扉を解錠する第二扉解錠処理部をさらに備え、
前記開閉情報取得部は、
前記住戸側第二認証処理部による認証の成功及び前記第二扉解錠処理部による解錠のうち少なくとも一つに基づいて、前記開閉情報を取得する請求項２記載の所在管理システム。
【請求項８】
前記住戸側第二認証情報取得部は、前記出入口扉に取り付けられている請求項７に記載の所在管理システム。
【請求項９】
前記共用ゲートから前記各住戸に至る経路上に設けられ、前記認証情報を取得する経路上認証情報取得部と、
前記経路上認証情報取得部によって取得された前記認証情報に基づいて、その認証情報により識別される住戸に関連して認証を行う経路上認証処理部とをさらに備え、
前記在宅処理部は、前記在宅記憶処理において、前記玄関側認証処理部又は前記経路上認証処理部による認証が成功した後、その認証が成功した住戸の出入口扉について前記開閉情報取得部によって前記開閉情報が取得されたとき、その住戸に対応して、在宅を示す前記在宅情報を前記在宅情報記憶部に記憶させる請求項１〜８のいずれか１項に記載の所在管理システム。
【請求項１０】
前記共用ゲートから前記各住戸に至る経路上に設けられ、前記認証情報を取得する経路上認証情報取得部と、
前記経路上認証情報取得部によって取得された前記認証情報に基づいて、その認証情報により識別される住戸に関連して認証を行う経路上認証処理部とをさらに備え、
前記在宅処理部は、前記不在記憶処理において、前記少なくとも一つの住戸の前記出入口扉について前記開閉情報が前記開閉情報取得部によって取得された後、その住戸に関連して前記玄関側認証処理部又は前記経路上認証処理部による前記認証が成功したとき、その住戸に対応して、不在を示す前記在宅情報を前記在宅情報記憶部に記憶させる請求項２記載の所在管理システム。
【請求項１１】
前記経路上認証情報取得部は、前記集合住宅のエレベータ又はエレベータの乗場に配設されている請求項９又は１０記載の所在管理システム。
【請求項１２】
請求項１〜１１のいずれか１項に記載の所在管理システムと、
前記在宅を示す在宅情報が前記在宅情報記憶部に連続して記憶されている期間が、所定の在宅判定期間を超えた場合、異常が生じたと判定する安否判定部とを含む安否確認システム。
【請求項１３】
請求項２記載の所在管理システムと、
前記不在を示す在宅情報が前記在宅情報記憶部に連続して記憶されている期間が、所定の不在判定期間を超えた場合、異常が生じたと判定する安否判定部とを含む安否確認システム。
【発明の詳細な説明】
【技術分野】
【０００１】
本発明は、集合住宅の居住者の在宅情報を管理する所在管理システム、及び居住者の安否を確認する安否確認システムに関する。
【背景技術】
【０００２】
近年、単身世帯の増加や、高齢化の進展に伴い、集合住宅に独居する独居高齢者世帯が増加傾向にある。このような独居高齢者世帯では、同居者がいないため、居住者が病気や怪我をしたり、あるいは動けなくなっていたりするなど居住者の健康に異常が生じた場合であっても、そのような異常が生じたことを外部の人間が知ることができない。そのため、遠方の家族などが、居住者に電話をした際などに居住者が電話に出ないと、居住者の健康に異常が生じているのではないかとの疑いを抱くことになる。
【０００３】
このような場合、遠方の家族などは、集合住宅の管理者に連絡して居住者の安否確認を依頼することがある。しかしながら、居住者が電話に出ないのは健康に異常が生じた場合に限らず、単に居住者が外出していて不在にしている場合もある。従って、居住者が在宅しているのか不在なのかを知ることができれば、家族などの安心が得られる点でも、集合住宅の管理人が安否確認を行う手間が省ける点でも望ましい。
【０００４】
居住者が在宅中なのか不在中なのかを検知する方法として、人感センサや在宅スイッチを用いる方法が知られている（例えば、特許文献１参照）。特許文献１には、人感センサを適用し、人感センサの検出出力があってから一定時間内は在宅と認識する一方、一定時間以上にわたって検出出力がない場合には不在と認知する方法、人感センサと各住戸の玄関の鍵の開閉を検知する鍵検知器とを組み合わせ、各住戸の玄関の鍵開閉後に人感センサの検出出力があれば在宅と認知し、玄関の鍵開閉後、一定時間以上にわたって人感センサの検出出力がなければ不在と認知する方法、及び、居住者により操作される在宅スイッチを有し、この在宅スイッチがオン／オフされることで在／不在を認知する方法が記載されている。
【先行技術文献】
【特許文献】
【０００５】
【特許文献１】特開２００９−１３０５６６号公報
【発明の概要】
【発明が解決しようとする課題】
【０００６】
しかしながら、上述のように人感センサを用いる場合には、人感センサの検知領域外に居住者がいた場合、居住者の在／不在を正確に判定することができない。また、居住者が在宅スイッチをオン／オフすることで在／不在を判定する方法では、居住者が在宅スイッチの操作を忘れたり、誤ったりした場合、居住者の在／不在を正確に判定することができない。
【０００７】
本発明の目的は、居住者が在宅しているか否かの情報を得る精度を向上することができる所在管理システム、及びこの所在管理システムを用いた安否確認システムを提供することである。
【課題を解決するための手段】
【０００８】
本発明に係る所在管理システムは、住戸を複数含み、前記複数の住戸に共用される共用ゲートが設けられた集合住宅の前記共用ゲートの外側に配設され、前記複数の住戸をそれぞれ識別可能な情報である認証情報を取得する玄関側第一認証情報取得部と、前記玄関側第一認証情報取得部によって取得された前記認証情報に基づいて、その認証情報により識別される住戸に関連して認証を行う玄関側認証処理部と、前記玄関側認証処理部による認証が成功した場合、前記共用ゲートを開く共用ゲート開閉処理部と、前記複数の住戸のうち少なくとも一つの住戸と対応付けて、その住戸に居住者が在宅中か否かを示す在宅情報を記憶する在宅情報記憶部と、前記住戸の出入口の扉である出入口扉の開閉に関する開閉情報を取得する開閉情報取得部と、前記玄関側認証処理部による認証が成功した後、その認証が成功した住戸の出入口扉について前記開閉情報取得部によって前記開閉情報が取得されたとき、その住戸に対応して、在宅を示す前記在宅情報を前記在宅情報記憶部に記憶させる在宅記憶処理を実行する在宅処理部とを備える。
【０００９】
この構成によれば、集合住宅の入口である共用ゲートの外側に配設された玄関側第一認証情報取得部によって取得された認証情報に基づく玄関側認証処理部による認証が成功した後、すなわち居住者が集合住宅の外にいることが確認された後に、その認証が成功した住戸の出入口扉について開閉情報取得部によって開閉情報が取得されたとき、すなわち集合住宅の外にいた居住者がその居住者の住戸の出入口扉を開閉したと考えられる場合に、その住戸に対応して、在宅を示す在宅情報が在宅情報記憶部に記憶される。これによれば、集合住宅の外から帰宅したことが明らかであるから、居住者が在宅しているか否かの情報を得る精度を向上することができる。
【００１０】
また、前記共用ゲートの近傍において前記認証情報を取得する玄関側第二認証情報取得部をさらに備え、前記玄関側認証処理部は、さらに、前記玄関側第二認証情報取得部によって取得された前記認証情報に基づいて、その認証情報により識別される住戸に関連して認証を実行し、前記在宅処理部は、さらに、前記少なくとも一つの住戸の前記出入口扉について前記開閉情報が前記開閉情報取得部によって取得された後、その住戸に関連して前記玄関側認証処理部による前記認証が成功したとき、その住戸に対応して、不在を示す前記在宅情報を前記在宅情報記憶部に記憶させる不在記憶処理を実行することが好ましい。
【００１１】
この構成によれば、住戸の出入口扉について開閉情報が開閉情報取得部によって取得された後、すなわち住戸の出入口扉が開閉されたと考えられる後、その住戸に関連して玄関側認証処理部による認証が成功し、すなわち居住者が住戸の外で共用ゲートの近傍にいたことが明らかな場合に、その住戸に対応して、不在を示す在宅情報が在宅情報記憶部に記憶されるから、居住者が在宅しているか否かの情報を得る精度を向上することができる。
【００１２】
また、前記玄関側認証処理部による認証が成功してから、その認証が成功した住戸の出入口扉について前記開閉情報取得部によって前記開閉情報が取得されるまでの期間、その住戸の居住者が、その住戸外であって前記集合住宅内に存在すると判定する住戸外判定部をさらに備えることが好ましい。
【００１３】
この構成によれば、居住者が、集合住宅の入口で認証を行ってから、その居住者の住戸の出入口扉について開閉情報が取得されるまでの期間、すなわち居住者が集合住宅に入ってから、まだ自分の住戸に帰っていないと考えられる期間について、住戸外判定部によって、その住戸の居住者が、その住戸外であって集合住宅内に存在すると判定されるので、居住者の所在を詳細に知ることが可能となる。
【００１４】
また、前記少なくとも一つの住戸の前記出入口扉について前記開閉情報が前記開閉情報取得部によって取得された後、その住戸に関連して前記玄関側認証処理部による前記認証が成功するまでの期間、その住戸の居住者が、その住戸外であって前記集合住宅内に存在すると判定する住戸外判定部をさらに備えることが好ましい。
【００１５】
この構成によれば、住戸の出入口扉について開閉情報が取得されてから、その住戸の居住者が集合住宅の入口で認証を行うまでの期間、すなわち居住者が自分の住戸を出てから、まだ集合住宅を出ていない期間、その住戸の居住者が、その住戸外であって前記集合住宅内に存在すると判定されるので、居住者の所在を詳細に知ることが可能となる。
【００１６】
また、前記開閉情報取得部は、前記少なくとも一つの住戸に対応してその住戸の出入口の外側に配設され、前記認証情報を取得する住戸側第一認証情報取得部と、前記住戸側第一認証情報取得部によって取得された前記認証情報に基づいて、その住戸側第一認証情報取得部と対応する住戸である第一住戸に関連して認証を行う住戸側第一認証処理部とを含み、前記所在管理システムは、前記住戸側第一認証処理部による認証が成功した場合、前記第一住戸の前記出入口扉を解錠する第一扉解錠処理部とをさらに備え、前記開閉情報取得部は、前記住戸側第一認証処理部による認証の成功及び前記第一扉解錠処理部による解錠のうち少なくとも一つに基づいて、前記開閉情報を取得することが好ましい。
【００１７】
この構成によれば、住戸側第一認証情報取得部は、住戸の出入口の外側に配設されており、住戸側第一認証情報取得部で取得された認証情報に基づく住戸側第一認証処理部による認証が成功したときは出入口扉が解錠される。従って、住戸側第一認証処理部による認証が成功したときは、居住者が住戸の外におり、住戸に入ろうとしていることが明らかである。そこで、開閉情報取得部は、住戸側第一認証処理部による認証の成功及び第一扉解錠処理部による解錠のうち少なくとも一つを、出入口扉の開閉に関する開閉情報として取得することができる。
【００１８】
また、前記住戸側第一認証情報取得部は、前記出入口扉に取り付けられていることが好ましい。
【００１９】
この構成によれば、住戸の出入口扉を交換するだけで、その住戸に住戸側第一認証情報取得部を設けることができるので、住戸側第一認証情報取得部の設置工数を低減することができる。
【００２０】
また、前記開閉情報取得部は、前記少なくとも一つの住戸に対応してその住戸の出入口の内側に配設され、前記認証情報を取得する住戸側第二認証情報取得部と、前記住戸側第二認証情報取得部によって取得された前記認証情報に基づいて、その住戸側第二認証情報取得部と対応する住戸である第二住戸に関連して認証を行う住戸側第二認証処理部とを含み、前記所在管理システムは、前記住戸側第二認証処理部による認証が成功した場合、前記第二住戸の前記出入口扉を解錠する第二扉解錠処理部をさらに備え、前記開閉情報取得部は、前記住戸側第二認証処理部による認証の成功及び前記第二扉解錠処理部による解錠のうち少なくとも一つに基づいて、前記開閉情報を取得することが好ましい。
【００２１】
この構成によれば、住戸側第二認証情報取得部は、住戸の出入口の内側に配設されており、住戸側第二認証情報取得部で取得された認証情報に基づく住戸側第二認証処理部による認証が成功したときは出入口扉が解錠される。従って、住戸側第二認証処理部による認証が成功したときは、居住者が住戸の中におり、住戸から出ようとしていることが明らかである。そこで、開閉情報取得部は、住戸側第二認証処理部による認証の成功及び第二扉解錠処理部による解錠のうち少なくとも一つを、出入口扉の開閉に関する開閉情報として取得することができる。
【００２２】
また、前記住戸側第二認証情報取得部は、前記出入口扉に取り付けられていることが好ましい。
【００２３】
この構成によれば、住戸の出入口扉を交換するだけで、その住戸に住戸側第二認証情報取得部を設けることができるので、住戸側第二認証情報取得部の設置工数を低減することができる。
【００２４】
また、前記共用ゲートから前記各住戸に至る経路上に設けられ、前記認証情報を取得する経路上認証情報取得部と、前記経路上認証情報取得部によって取得された前記認証情報に基づいて、その認証情報により識別される住戸に関連して認証を行う経路上認証処理部とをさらに備え、前記在宅処理部は、前記在宅記憶処理において、前記玄関側認証処理部又は前記経路上認証処理部による認証が成功した後、その認証が成功した住戸の出入口扉について前記開閉情報取得部によって前記開閉情報が取得されたとき、その住戸に対応して、在宅を示す前記在宅情報を前記在宅情報記憶部に記憶させることが好ましい。
【００２５】
この構成によれば、住戸の外にある玄関側第一認証情報取得部からの認証情報に基づく玄関側認証処理部、及び住戸の外にある経路上認証情報取得部からの認証情報に基づく経路上認証情報取得部のいずれかによる認証が成功した後、その認証が成功した住戸の出入口扉について開閉情報取得部によって開閉情報が取得されたとき、すなわち、居住者が住戸の外から帰宅したことが明らかな場合に、在宅を示す在宅情報が在宅情報記憶部に記憶されるので、居住者が在宅しているか否かの情報を得る精度を向上することができる。
【００２６】
また、前記共用ゲートから前記各住戸に至る経路上に設けられ、前記認証情報を取得する経路上認証情報取得部と、前記経路上認証情報取得部によって取得された前記認証情報に基づいて、その認証情報により識別される住戸に関連して認証を行う経路上認証処理部とをさらに備え、前記在宅処理部は、前記不在記憶処理において、前記少なくとも一つの住戸の前記出入口扉について前記開閉情報が前記開閉情報取得部によって取得された後、その住戸に関連して前記玄関側認証処理部又は前記経路上認証処理部による前記認証が成功したとき、その住戸に対応して、不在を示す前記在宅情報を前記在宅情報記憶部に記憶させることが好ましい。
【００２７】
この構成によれば、少なくとも一つの住戸の出入口扉について開閉情報が開閉情報取得部によって取得された後、その住戸に関連して、住戸の外にある玄関側第一認証情報取得部からの認証情報に基づく玄関側認証処理部、又は住戸の外にある経路上認証情報取得部からの認証情報に基づく経路上認証処理部による認証が成功したとき、すなわち、居住者が住居を出た後、住居の外にいたことが明らかな場合に、その住戸に対応して、不在を示す在宅情報が在宅情報記憶部に記憶されるので、居住者が在宅しているか否かの情報を得る精度を向上することができる。
【００２８】
また、前記経路上認証情報取得部は、前記集合住宅のエレベータ又はエレベータの乗場に配設されていることが好ましい。
【００２９】
居住者の住戸が共用ゲートと異なる階にある場合、居住者は、自分の住戸と共用ゲートとの間の行き来にエレベータを使用する。従って、エレベータ又はエレベータの乗場は、経路上認証情報取得部の設置場所として好適である。
【００３０】
また、本発明に係る安否確認システムは、上述の所在管理システムと、前記在宅を示す在宅情報が前記在宅情報記憶部に連続して記憶されている期間が、所定の在宅判定期間を超えた場合、異常が生じたと判定する安否判定部とを含む。
【００３１】
居住者は、１日に１回、あるいは数日に１回程度は仕事や買い物等で外出するのが普通である。従って、在宅判定期間を適宜設定することにより、外出せずに連続して在宅している期間が在宅判定期間を超えた場合、外出することができないような、何らかの異常が生じている可能性が高い。そこで、連続して在宅している期間が在宅判定期間を超える在宅情報があったとき、安否判定部は、その在宅情報と対応する住戸内で居住者の安否に異常が生じていると判定することができる。
【００３２】
また、本発明に係る安否確認システムは、上述の所在管理システムと、前記不在を示す在宅情報が前記在宅情報記憶部に連続して記憶されている期間が、所定の不在判定期間を超えた場合、異常が生じたと判定する安否判定部とを含む。
【００３３】
居住者が外出したまま適宜設定された不在判定期間を超える期間、帰宅しなかった場合、例えば事故が発生するなど事情によりその居住者に、外出先から帰宅できないような何らかの異常が生じている可能性が高い。そこで、帰宅することなく連続して不在となっている期間が不在判定期間を超える在宅情報があったとき、安否判定部は、その在宅情報と対応する住戸の居住者の安否に、外出先で異常が生じていると判定することができる。
【発明の効果】
【００３４】
このような構成の所在管理システム、及び安否確認システムは、居住者が在宅しているか否かの情報を得る精度を向上することができる。
【図面の簡単な説明】
【００３５】
【図１】本発明の一実施形態に係る安否確認システム（所在管理システム）を備えた集合住宅の構成を概念的に示した説明図である。
【図２】出入口扉の構成の一例を示す正面図である。
【図３】図１に示す安否確認システムの電気的構成の一例を示すブロック図である。
【図４】図３に示す安否確認システムの動作の一例を示すフローチャートである。
【図５】図３に示す安否確認システムの動作の一例を示すフローチャートである。
【図６】図３に示す安否確認システムの動作の一例を示すフローチャートである。
【発明を実施するための形態】
【００３６】
以下、本発明に係る実施形態を図面に基づいて説明する。なお、各図において同一の符号を付した構成は、同一の構成であることを示し、その説明を省略する。
【００３７】
図１は、本発明の一実施形態に係る安否確認システム１（所在管理システム）を備えた集合住宅２の構成を概念的に示した説明図である。図１は、上方から下を見下ろした見取り図とされている。集合住宅２は、いわゆるマンションである。集合住宅２は、建屋本体２１と、エントランス２３とを備えている。建屋本体２１には、住戸１０１，１０２，１０３，２０１，２０２，２０３と、管理人室２２０と、エレベータ８と、通路２２とが設けられている。
【００３８】
住戸１０１，１０２，１０３は集合住宅２の１階、住戸２０１，２０２，２０３は集合住宅２の２階に設けられている。２階フロアは、エントランス２３が無い点を除いて１階フロアと同様に構成されているので、２階フロアの図示を省略し、住戸１０１，１０２，１０３の上の階の部屋番号をカッコで囲んで付している。
【００３９】
なお、集合住宅２に住戸が６戸設けられた例を示したが、集合住宅２に設けられた住戸の数は、複数であればよく、６戸に限定されない。
【００４０】
エントランス２３には、玄関扉２３１と、認証装置２３２とが設けられている。エントランス２３と建屋本体２１との間には、共用ゲート２３３が設けられている。共用ゲート２３３は、居住者が認証装置２３２を用いて認証を行い、その認証が成功した場合に開く扉である。共用ゲート２３３が開くと、エントランス２３と通路２２とがつながって、エントランス２３から建屋本体２１に入館した居住者が、通路２２を通って住戸１０１，１０２，１０３へ行ったり、エレベータ８で２階フロアへ行き、住戸２０１，２０２，２０３へ行ったりできるようになっている。
【００４１】
共用ゲート２３３上方の例えば天井付近には、無線通信部２３４が取り付けられている。無線通信部２３４は、例えばＲＦＩＤ（Radio Frequency IDentification）用の送受信装置である。無線通信部２３４は、図１に示すように、共用ゲート２３３の上方から、共用ゲート２３３を含む領域２３４Ａに対して、ＲＦタグ読み出し用の電波を出力する。
【００４２】
領域２３４Ａ内にＲＦタグ（無線通信装置）が存在した場合、ＲＦタグは、ＲＦタグ読み出し用の電波に応答して、部屋番号等の各住戸を識別する住居情報を含む認証情報を無線通信部２３４へ送信する。無線通信部２３４は、ＲＦタグから認証情報を受信すると、その認証情報を管理装置５へ送信する。
【００４３】
集合住宅２の居住者は、自分が居住する住戸の住居情報を記憶したＲＦタグを身につけるようにされている。その結果、居住者が共用ゲート２３３を通ると、共用ゲート２３３を通った居住者が居住する住戸を示す住居情報が無線通信部２３４によって取得される。これにより、居住者の入館、及び退館を検出することが可能にされている。ＲＦタグは、例えば後述する認証用のＩＣカードと一体に構成されている。これにより、居住者は、ＩＣカードを一枚所持するだけでよい。
【００４４】
無線通信部２３４及びＲＦタグとしては、例えばＩＳＯ／ＩＥＣ１８０００−６で定められたＵＨＦ帯（８６０〜９６０ＭＨｚ）のＲＦＩＤシステムを好適に用いることができる。ＵＨＦ帯のＲＦＩＤは、電波の指向性が高いため、無線通信部２３４から領域２３４Ａの範囲に略限定してＲＦタグ読み出し用の電波を送信することが容易である。ＲＦタグ読み出し用の電波を領域２３４Ａの範囲に限定して送信することで、共用ゲート２３３を通らない居住者が身につけているＲＦタグから誤って住居情報を取得するおそれが低減される。
【００４５】
また、例えば共用ゲート２３３の内側の上方天井付近には、ドアセンサ２４が取り付けられている。ドアセンサ２４は、共用ゲート２３３の内側において、共用ゲート２３３近傍に接近した人を検知するセンサである。ドアセンサ２４としては、例えば反射式光センサを用いることができる。
【００４６】
認証装置２３２は、集合住宅２に入館しようとする居住者（以下、被認証者と称する）を認証するための認証装置である。認証装置２３２が被認証者を認証する方法としては、例えばＩＣカードによる認証やパスワードによる認証、指紋認証、対象者の顔画像により認証する顔認証、あるいは予め電話番号が登録された携帯電話機から予め定められた解錠専用電話番号へ番号通知を有効にした状態で電話する、といった種々の認証方法を用いることができる。
【００４７】
認証装置２３２は、ＩＣカードによる認証を行うときは、例えばＩＣカードから、認証用のデータと各住戸を識別する情報である部屋番号とを認証情報として読み出してもよく、パスワードによる認証を行うときは、キーボード操作によって被認証者が入力した部屋番号とパスワードとを認証情報として取得してもよい。
【００４８】
また、認証装置２３２は、指紋認証を行うときは被認証者の指紋を、顔認証を行うときは被認証者の顔の画像を、認証情報として取得してもよい。認証装置２３２は、上記携帯電話機による認証を行うときは、解錠用の専用電話に掛かってきた電話から通知された電話番号を認証情報として取得してもよい。このような場合、被認証者の指紋や顔の画像を示す情報、あるいは被認証者の所有する携帯電話機の電話番号等を被認証者が居住する住戸の部屋番号と対応付けるルックアップテーブルを、予め管理装置５の記憶部に記憶しておくことによって、そのルックアップテーブルを参照することで、認証情報から被認証者の部屋番号を特定することができる。これにより、被認証者の指紋や顔の画像を示す情報、あるいは被認証者の所有する携帯電話機の電話番号等を、被認証者の住戸を特定する情報、すなわち各住戸を識別する認証情報として用いることができる。
【００４９】
以下の説明では、認証装置２３２が、ＮＦＣ（Near Field Communication）方式のＩＣカード（認証カード）により認証を行う例を示す。これにより、居住者は、自分のＩＣカードを認証装置２３２にタッチすることで認証が可能となる。認証装置２３２は、このようにして得られた認証情報を、管理装置５へ送信する。
【００５０】
住戸１０１〜１０３，２０１〜２０３には、それぞれ出入口扉３と、トイレ４とが設けられている。図２は、出入口扉３の構成の一例を示す正面図である。（ａ）は扉外側３ａ、（ｂ）は扉内側３ｂを示している。出入口扉３の扉外側３ａ（図２（ａ））には、ドアノブ３１、インターホン子機３２、及びカードリーダ３３（住戸側第一認証情報取得部）が取り付けられている。インターホン子機３２は、呼出釦３２１、マイク３２２、スピーカ３２３、及びカメラ３２４を備えている。カメラ３２４は、例えばＣＣＤ（Charge Coupled Device）やＣＭＯＳ（Complementary Metal Oxide Semiconductor）カメラである。
【００５１】
出入口扉３の扉内側３ｂ（図２（ｂ））には、ドアノブ３１、表示装置３５、インターホン親機３６、カードリーダ３７（住戸側第二認証情報取得部）、制御部３８、及び電子錠３９が取り付けられている。ドアノブ３１、表示装置３５、インターホン親機３６、カードリーダ３７、及び制御部３８は、例えばドアモジュール３０１として一体にモジュール化されている。
【００５２】
カードリーダ３３，３７は、認証装置２３２と同様、ＮＦＣ方式のＩＣカード（認証カード）から認証情報を読み出すカードリーダである。これにより、居住者は、自分のＩＣカードをカードリーダ３３，３７にタッチすることで認証が可能となる。なお、カードリーダ３３，３７の代わりに、例えば、認証装置２３２と同様、被認証者の顔の画像を、認証情報として取得してもよく、解錠用の専用電話に掛かってきた電話から通知された電話番号を認証情報として取得してもよい。
【００５３】
カードリーダ３３，３７は、このようにして得られた認証情報を、制御部３８へ送信する。電子錠３９は、いわゆる電子錠であり、制御部３８からの制御信号に応じて出入口扉３を施錠又は解錠する。制御部３８については後述する。
【００５４】
表示装置３５は、例えば液晶表示装置を用いて構成されており、出入口扉３外側のカメラ３２４で撮影された画像、すなわち訪問者の画像を表示する。インターホン親機３６は、マイク３６１とスピーカ３６２とを備え、インターホン子機３２と通話可能にされている。カードリーダ３３，３７、制御部３８、及び電子錠３９については後述する。
【００５５】
なお、インターホン子機３２、カードリーダ３３、表示装置３５、インターホン親機３６、カードリーダ３７、及び制御部３８は、必ずしも出入口扉３に取り付けられる例に限らず、例えば、出入口扉３の横の壁面や居間に配設されていてもよい。しかしながら、インターホン子機３２、カードリーダ３３、表示装置３５、インターホン親機３６、カードリーダ３７、制御部３８、及び電子錠３９を出入口扉３に取り付ける構成とすることにより、出入口扉３を、通常の扉と交換するだけで、住戸に、インターホン子機３２、カードリーダ３３、表示装置３５、インターホン親機３６、カードリーダ３７、制御部３８、及び電子錠３９を設けることができるので、設置工事を容易にすることができる。
【００５６】
管理人室２２０内には、管理装置５が設置されている。なお、集合住宅２は、管理人室２２０を備えていなくてもよく、管理装置５は、例えば集合住宅２の外部に設置され、集合住宅２と管理装置５とが通信回線で接続されていてもよい。
【００５７】
エレベータ８は、かご８１と、各階の乗場に設けられた扉８２とを備えている。各階の乗場において、扉８２の横の壁に、カードリーダ８３が取り付けられている。また、かご８１の内壁面に、カードリーダ８４が取り付けられている。カードリーダ８３，８４は、カードリーダ３３，３７と同様に構成されている。カードリーダ８３，８４は、居住者のＩＣカードから読み取った認証情報を管理装置５のエレベータ制御部５１へ送信する。
【００５８】
図３は、図１に示す安否確認システム１の電気的構成の一例を示すブロック図である。図３に示す安否確認システム１は、認証装置２３２（玄関側第一認証情報取得部）、無線通信部２３４（玄関側第二認証情報取得部）、共用ゲート駆動部２３５、ドアセンサ２４、エレベータ８、管理装置５、及び出入口扉３を備えている。出入口扉３は、住戸１０１〜１０３，２０１〜２０３のうち少なくとも一つに設けられている。図３では、説明を簡略化するため出入口扉３を一つだけ記載している。
【００５９】
共用ゲート駆動部２３５は、共用ゲート開閉処理部５２からの制御信号に応じて共用ゲート２３３を開閉するモータやギヤ等の駆動機構である。
【００６０】
管理装置５は、例えばパーソナルコンピュータやサーバ装置等の情報処理装置である。管理装置５は、例えば所定の演算処理を実行するＣＰＵ（Central Processing Unit）、一時的にデータを記憶するＲＡＭ（Random Access Memory）、所定の制御プログラムを記憶するＨＤＤ（Hard Disk Drive）装置、ＲＴＣ（Real Time Clock）、タイマ回路、通信インターフェイス回路、及びその周辺回路等を備えて構成されている。
【００６１】
そして、管理装置５は、例えばＨＤＤ装置に記憶された制御プログラムを実行することによって、玄関側認証処理部５０、エレベータ制御部５１（経路上認証処理部）、共用ゲート開閉処理部５２、在宅処理部５３、住戸外判定部５４、安否判定部５５、及び異常報知部５６として機能する。また、管理装置５は、例えばＨＤＤ装置やＲＡＭ等から構成された在宅情報記憶部５７及び連絡先記憶部５８を備えている。
【００６２】
連絡先記憶部５８には、予め、住戸１０１〜１０３，２０１〜２０３の部屋番号（１０１〜１０３，２０１〜２０３）と対応付けて、各住戸に対応する連絡先となる電話番号やメールアドレス、ＩＰアドレス等を示す連絡先情報が記憶されている。電話番号としては、例えば各住戸の居住者の親族の携帯電話機や固定電話の電話番号を用いることができる。メールアドレスとしては、例えば各住戸の居住者の親族の携帯電話機やパーソナルコンピュータ等のメールアドレスを用いることができる。この場合、携帯電話機、固定電話、いわゆるスマートフォン、パーソナルコンピュータ等が、異常報知部５６の報知先となる端末装置の一例に相当する。
【００６３】
なお、電話番号やメールアドレスは、例えば居住者に対する介護サービスを行う管理業者や行政サービスを行う公共団体の電話番号又はメールアドレスであってもよく、各住戸に対して共通する電話番号又はメールアドレスであってもよい。この場合、それら管理業者や公共団体の電話機又はパーソナルコンピュータ等が、各住戸に対して共通して設けられた一の端末装置となる。
【００６４】
玄関側認証処理部５０は、認証装置２３２又は無線通信部２３４から送信された認証情報に基づいて、その認証情報により示される部屋番号に対応付けて、すなわちその認証情報により識別される住戸に関連して認証を行う。
【００６５】
エレベータ制御部５１は、カードリーダ８３，８４から送信された認証情報に基づいて、その認証情報により示される部屋番号に対応付けて、すなわちその認証情報により識別される住戸に関連して認証を行う。
【００６６】
なお、認証情報は、部屋番号を示す情報に限らない。例えば、その部屋の居住者を示すＩＤ（IDentification）を認証情報として用いてもよい。居住者のＩＤとその居住者の住戸とは対応するから、居住者のＩＤに基づき認証を実行すれば、その居住者の住戸に関連して認証を実行することになる。
【００６７】
エレベータ制御部５１は、カードリーダ８３から送信された認証情報に基づく認証が成功した場合、そのカードリーダ８３が取り付けられている乗場の階へ、かご８１を向かわせる。また、エレベータ制御部５１は、カードリーダ８４から送信された認証情報に基づく認証が成功した場合、その認証情報で示される部屋番号の住戸がある階へ、かご８１を向かわせる。
【００６８】
共用ゲート開閉処理部５２は、認証装置２３２で得られた認証情報に基づき玄関側認証処理部５０による認証が成功した場合、及びドアセンサ２４によって人が検知された場合に、予め設定された開放時間、例えば１０秒間、共用ゲート駆動部２３５によって共用ゲート２３３を開かせた後、共用ゲート２３３を閉じさせる。在宅処理部５３、住戸外判定部５４、安否判定部５５、及び異常報知部５６については後述する。
【００６９】
次に、出入口扉３の構成について説明する。制御部３８は、例えば、所定の演算処理を実行するＣＰＵ、データを一時的に記憶するＲＡＭ、所定の制御プログラムを記憶するＲＯＭ（Read Only Memory）やフラッシュメモリ等の不揮発性の記憶部、ＲＴＣ、タイマ回路、通信インターフェイス回路、及びその周辺回路等を備えて構成されている。制御部３８は、例えばＬＡＮ（Local Area Network）６等の通信手段を介して管理装置５とデータ送受信可能に接続されている。
【００７０】
そして、制御部３８は、例えば不揮発性の記憶部に記憶された制御プログラムを実行することによって、住戸側認証処理部３８１（住戸側第一認証処理部，住戸側第二認証処理部）及び扉解錠処理部３８２として機能する。
【００７１】
住戸側認証処理部３８１は、カードリーダ３３，３７によって取得された認証情報に基づいて、その認証情報により示される部屋番号と、住戸側認証処理部３８１が設けられているその住戸の部屋番号とが一致するか否かについて、認証を行う。
【００７２】
住戸側認証処理部３８１は、認証に成功したとき、対応する部屋番号と共に認証に成功したことを示す旨の信号を、ＬＡＮ６を介して管理装置５へ送信すると共に、認証に成功したことを示す信号を扉解錠処理部３８２へ送信する。
【００７３】
扉解錠処理部３８２は、認証に成功したことを示す信号を受信したとき、電子錠３９を解錠させる。居住者がカードリーダ３３又はカードリーダ３７にＩＣカードをタッチして電子錠３９を解錠させた場合、居住者は出入口扉３を開閉しようとしていることになる。従って、住戸側認証処理部３８１が認証に成功したことを示す信号は、出入口扉３の開閉に関する開閉情報の一例に相当している。また、カードリーダ３３，３７及び住戸側認証処理部３８１は、開閉情報取得部の一例に相当している。
【００７４】
なお、住戸側認証処理部３８１は、管理装置５への認証に成功したことを示す信号の送信を実行せず、扉解錠処理部３８２が電子錠３９を解錠させたときに電子錠３９の解錠を示す信号を開閉情報として、ＬＡＮ６を介して管理装置５へ送信する構成としてもよい。
【００７５】
また、安否確認システム１は、必ずしもカードリーダ３３，３７及び住戸側認証処理部３８１を備える例に限らない。例えば、マグネットセンサー、マイクロスイッチ、光センサ、超音波センサ等、種々のスイッチやセンサを開閉情報取得部として用いて出入口扉３の開閉を検出するようにしてもよい。そして、これらスイッチやセンサにより出入口扉３の開閉が検出された場合に、出入口扉３が開閉されたことを示す開閉情報を管理装置５へ送信する構成としてもよい。この場合、「開閉を検出する」とは、必ずしも出入口扉３が開かれて閉められることを検出する必要はなく、出入口扉３が閉じた状態から開いたこと、又は出入口扉３が開いた状態から閉じたことを開閉として検出してもよい。
【００７６】
次に、管理装置５の在宅処理部５３、住戸外判定部５４、安否判定部５５、及び異常報知部５６について説明する。
【００７７】
在宅処理部５３は、玄関側認証処理部５０による認証が成功した後、その認証が成功した住戸の出入口扉３について、制御部３８から開閉情報を受信したとき、その住戸に対応して、在宅を示す在宅情報を在宅情報記憶部５７に記憶させる在宅記憶処理を実行する。また、在宅処理部５３は、いずれかの住戸の制御部３８から開閉情報を受信した後、その住戸に関連して玄関側認証処理部５０による認証が成功したとき、その住戸に対応して、不在を示す在宅情報を在宅情報記憶部５７に記憶させる不在記憶処理を実行する。
【００７８】
住戸外判定部５４は、玄関側認証処理部５０による認証が成功してから、その認証が成功した住戸の出入口扉３の制御部３８から開閉情報を受信するまでの期間、その住戸の居住者が、その住戸外であって集合住宅２内に存在すると判定し、その判定結果をその住戸の部屋番号と対応付けて例えば在宅情報記憶部５７に記憶させる。
【００７９】
また、住戸外判定部５４は、いずれかの住戸の制御部３８から開閉情報を受信した後、その住戸に関連して玄関側認証処理部５０による認証が成功するまでの期間、その住戸の居住者が、その住戸外であって集合住宅２内に存在すると判定し、その判定結果をその住戸の部屋番号と対応付けて例えば在宅情報記憶部５７に記憶させる。
【００８０】
安否判定部５５は、在宅を示す在宅情報が在宅情報記憶部５７に連続して記憶されている期間が、予め設定された在宅判定期間Ｔｊ１を超えた場合、室内において居住者の安否に異常が生じたと判定する。また、安否判定部５５は、不在を示す在宅情報が在宅情報記憶部５７に連続して記憶されている期間が、予め設定された不在判定期間Ｔｊ２を超えた場合、外出先で居住者の安否に異常が生じたと判定する。
【００８１】
異常報知部５６は、安否判定部５５によって異常が生じたと判定された場合、その異常が生じたと判定された住戸に対応して異常の判定結果を報知する。異常報知部５６は、例えば通信インターフェイス回路や、ＤＴＭＦ（Dual Tone Multi-Frequency）生成回路、音声合成回路等を用いて構成されており、外部のネットワークに接続されている。ネットワークとしては、例えば公衆電話回線やインターネット等、種々の通信回線を用いることができる。
【００８２】
そして、異常報知部５６は、その異常が生じたと判定された住戸に対応する連絡先の電話番号へ電話をかけ、例えば音声合成により、その住戸の居住者の安否に関して安否判定部５５の判定結果を示すメッセージを連絡先の電話端末装置へ送信することによって、異常の発生を報知する。
【００８３】
あるいは、異常報知部５６は、連絡先としてメールアドレスを用い、インターネット等のネットワークを介して電子メールにより異常が生じたことを示すメッセージを送信してもよい。異常報知部５６は、連絡先記憶部５８を参照することによって、上記連絡先の電話番号、メールアドレス、あるいはＩＰアドレス等を取得することができる。
【００８４】
図４、図５、図６は、図３に示す安否確認システム１の動作の一例を示すフローチャートである。まず、居住者が、集合住宅２のエントランス２３で、自分のＩＣカードを認証装置２３２にタッチした場合（ステップＳ１でＹＥＳ）、ＩＣカードから読み取られた認証情報が認証装置２３２から管理装置５へ送信され、玄関側認証処理部５０によって、その認証情報に基づき認証が実行される（ステップＳ４）。
【００８５】
一方、例えば共用ゲート２３３が既に開いていたときに、認証を行わずに居住者が共用ゲート２３３から集合住宅２に入った場合、すなわちいわゆる共連れで集合住宅２に入った場合、居住者のＩＣカードは認証装置２３２にタッチされることがない（ステップＳ１でＮＯ）。この居住者の住戸が例えば２０１号室であった場合、この居住者は、二階に行くためにエレベータ８の一階（共用ゲート２３３が設けられた階）乗場のカードリーダ８３にＩＣカードをタッチする（ステップＳ２でＹＥＳ）。そうすると、ＩＣカードから読み取られた認証情報がカードリーダ８３から管理装置５へ送信され、エレベータ制御部５１によって、その認証情報に基づき認証が実行される（ステップＳ４）。
【００８６】
他方、居住者が、共用ゲート２３３から共連れで集合住宅２に入り、かつ共連れでエレベータ８のかご８１に乗り込んだ場合、居住者のＩＣカードは、認証装置２３２及びカードリーダ８３のいずれにもタッチされることがない（ステップＳ２でＮＯ）。この場合居住者が、かご８１内のカードリーダ８４にＩＣカードをタッチすると（ステップＳ３でＹＥＳ）、ＩＣカードから読み取られた認証情報がカードリーダ８４から管理装置５へ送信され、エレベータ制御部５１によって、その認証情報に基づき認証が実行される（ステップＳ４）。
【００８７】
ステップＳ２〜Ｓ４によれば、居住者が共連れで共用ゲート２３３やエレベータ８のかご８１に乗り込んだ場合であっても、その居住者の住戸の外で居住者の認証を行うことができる。
【００８８】
ステップＳ４において、認証に成功した場合（ステップＳ４でＹＥＳ）、玄関側認証処理部５０又はエレベータ制御部５１によって、その認証に成功した部屋番号が、目的部屋番号として取得される（ステップＳ５）。
【００８９】
次に、住戸外判定部５４によって、目的部屋番号の住戸の居住者が、その住戸外であって集合住宅２内に存在すると判定され、その判定結果が目的部屋番号と対応付けて在宅情報記憶部５７に記憶される（ステップＳ６）。これにより、集合住宅２の管理者や居住者の親族等が、住戸外判定部５４の判定結果に基づき、居住者の所在を詳細に知ることが可能となる。
【００９０】
次に、エレベータ８から降りた居住者が、目的部屋番号の住戸、すなわち自分の住戸の外側に設けられたカードリーダ３３にＩＣカードをタッチすると（ステップＳ７でＹＥＳ）、ＩＣカードから読み取られた認証情報がカードリーダ３３から制御部３８へ送信され、住戸側認証処理部３８１によって、その認証情報に基づき認証が実行される（ステップＳ８）。
【００９１】
住戸側認証処理部３８１による認証が成功した場合（ステップＳ８でＹＥＳ）、住戸側認証処理部３８１によって、その部屋番号と共に認証に成功したことを示す信号が開閉情報として、ＬＡＮ６を介して管理装置５へ送信される。また、住戸側認証処理部３８１によって、認証に成功したことを示す信号が扉解錠処理部３８２へ送信され、扉解錠処理部３８２によって電子錠３９が解錠される。これにより、居住者が、出入口扉３を開けて自分の住戸に入ることができる。
【００９２】
次に、ステップＳ９では、玄関側認証処理部５０又はエレベータ制御部５１による認証が成功した後、その認証が成功した住戸の出入口扉３について、制御部３８から認証に成功したことを示す信号が開閉情報として受信されたことになるから、在宅処理部５３によって、その住戸に対応して、在宅を示す在宅情報を在宅情報記憶部５７に記憶させる在宅記憶処理が実行される（ステップＳ９）。在宅記憶処理において、在宅処理部５３は、在宅情報記憶部５７に記憶されている、目的部屋番号の住戸の居住者がその住戸外であって集合住宅２内に存在するとの判定結果を示す情報を削除する。
【００９３】
以上、ステップＳ１〜Ｓ９の処理によれば、玄関の認証装置２３２、エレベータ乗場のカードリーダ８３、及びエレベータ内のカードリーダ８４のうちいずれかにより、居住者の認証が成功し、すなわち居住者が住戸の外にいることが確認された後に、居住者が自分の住居の出入口扉３を開けたことを示す開閉情報が取得されたときに、在宅を示す在宅情報を在宅情報記憶部５７に記憶させる在宅記憶処理が実行され、居住者が在宅しているか否かの情報を得ることができる。従って、居住者が外から住居に帰ってきたことが明らかな場合に在宅を示す在宅情報が得られるので、居住者が在宅しているか否かの情報を得る精度を向上することができる。
【００９４】
次に、図５を参照して、居住者が、自分の住戸の内側に設けられたカードリーダ３７にＩＣカードをタッチすると（ステップＳ１１でＹＥＳ）、ＩＣカードから読み取られた認証情報がカードリーダ３７から制御部３８へ送信され、住戸側認証処理部３８１によって、その認証情報に基づき認証が実行される（ステップＳ１２）。
【００９５】
住戸側認証処理部３８１による認証が成功した場合（ステップＳ１２でＹＥＳ）、住戸側認証処理部３８１によって、その部屋番号と共に認証に成功したことを示す信号が開閉情報として、ＬＡＮ６を介して管理装置５へ送信される。また、住戸側認証処理部３８１によって、認証に成功したことを示す信号が扉解錠処理部３８２へ送信され、扉解錠処理部３８２によって電子錠３９が解錠される。これにより、居住者が、出入口扉３を開けて自分の住戸から外に出ることができる。
【００９６】
ステップＳ１２において、認証に成功した場合（ステップＳ１２でＹＥＳ）、住戸側認証処理部３８１によって、その認証に成功した部屋番号が、目的部屋番号として取得される（ステップＳ１３）。
【００９７】
次に、住戸外判定部５４によって、目的部屋番号の住戸の居住者が、その住戸外であって集合住宅２内に存在すると判定され、その判定結果が目的部屋番号と対応付けて在宅情報記憶部５７に記憶される（ステップＳ１４）。これにより、集合住宅２の管理者や居住者の親族等が、住戸外判定部５４の判定結果に基づき、居住者の所在を詳細に知ることが可能となる。
【００９８】
例えばこの居住者の住居が集合住宅２の二階だった場合、自分の住戸から出た居住者は、共用ゲート２３３へ向かうべく二階のエレベータ乗場のカードリーダ８３にＩＣカードをタッチする（ステップＳ１５でＹＥＳ）。そうすると、ＩＣカードから読み取られた認証情報がカードリーダ８３から管理装置５へ送信され、エレベータ制御部５１によって、その認証情報に基づき目的部屋番号の住戸に関する認証が実行される（ステップＳ１８）。
【００９９】
一方、居住者が、共連れでエレベータ８のかご８１に乗り込んだ場合、居住者のＩＣカードは、カードリーダ８３にタッチされることがない（ステップＳ１５でＮＯ）。この場合居住者が、かご８１内のカードリーダ８４にＩＣカードをタッチすると（ステップＳ１６でＹＥＳ）、ＩＣカードから読み取られた認証情報がカードリーダ８４から管理装置５へ送信され、エレベータ制御部５１によって、その認証情報に基づき認証が実行される（ステップＳ１８）。
【０１００】
他方、居住者が共連れでエレベータ８のかご８１に乗り込み、かつ同乗者がカードリーダ８４にＩＣカードをタッチして行き先が設定された場合、居住者のＩＣカードは、カードリーダ８３，８４のいずれにもタッチされることがない（ステップＳ１６でＮＯ）。このような場合であっても、一階でエレベータ８を降りた居住者が、玄関を出ようとして共用ゲート２３３へ向かい、領域２３４Ａに入ると、ドアセンサ２４によって居住者が検知され、共用ゲート開閉処理部５２によって例えば１０秒間、共用ゲート２３３が開かれる。居住者が領域２３４Ａに入ったとき、無線通信部２３４によってＩＣカードから認証情報が読み出され（ステップＳ１７でＹＥＳ）、ＩＣカードから読み取られた認証情報が無線通信部２３４から管理装置５へ送信され、玄関側認証処理部５０によって、その認証情報に基づき目的部屋番号の住戸に関する認証が実行される（ステップＳ１８）。
【０１０１】
ステップＳ１５〜Ｓ１８によれば、居住者が共連れでエレベータ８のかご８１に乗り込んだり、エレベータの同乗者がカードリーダ８４にＩＣカードをタッチして行き先を指定したりした場合であっても、その居住者の住戸の外で居住者の認証を行うことができる。
【０１０２】
玄関側認証処理部５０又はエレベータ制御部５１で認証が成功した場合（ステップＳ１８でＹＥＳ）、目的部屋番号の住戸の出入口扉３について住戸側認証処理部３８１による認証が成功し、その認証が成功したことを示す信号が開閉情報として管理装置５で受信された後、その住戸に関連して玄関側認証処理部５０又はエレベータ制御部５１による認証が成功したことになるから、在宅処理部５３によって、その住戸に対応して、不在を示す在宅情報を在宅情報記憶部５７に記憶させる不在記憶処理が実行される（ステップＳ１９）。不在記憶処理において、在宅処理部５３は、在宅情報記憶部５７に記憶されている、目的部屋番号の住戸の居住者がその住戸外であって集合住宅２内に存在するとの判定結果を示す情報を削除する。
【０１０３】
以上、ステップＳ１１〜Ｓ１９の処理によれば、住戸の内側のカードリーダ３７により居住者の認証が成功し、出入口扉３の電子錠３９が解錠されて居住者が出入口扉３を開けたと考えられる状況になった後に、エレベータ乗場のカードリーダ８３、エレベータ内のカードリーダ８４、及び共用ゲート２３３近傍の無線通信部２３４のうちいずれかにより居住者の認証が成功し、すなわち居住者が住戸の外にいることが確認された場合に不在を示す在宅情報を在宅情報記憶部５７に記憶させる不在記憶処理が実行され、居住者が在宅しているか否かの情報を得ることができる。
【０１０４】
従って、例えば宅配便を受け取るために居住者が出入口扉３を開閉したような場合に誤って居住者が外出したと判定することがなく、居住者が住居から外に出たことが明らかな場合に不在を示す在宅情報が得られるので、居住者が在宅しているか否かの情報を得る精度を向上することができる。
【０１０５】
次に、図６を参照して、安否確認システム１による安否確認処理について説明する。図６に示すステップＳ２１，Ｓ２２は、安否判定部５５及び異常報知部５６によって、ステップＳ１〜Ｓ１９と並行して実行される。
【０１０６】
まず、安否判定部５５によって、在宅情報記憶部５７に記憶されている各住戸の在宅情報が確認される。そして、在宅情報記憶部５７に記憶されている各住戸の在宅情報のうち、連続して在宅を示している期間が在宅判定期間Ｔｊ１を超える在宅情報があったとき、安否判定部５５によって、その在宅情報と対応する住戸内で居住者の安否に異常が生じていると判定される。そして、異常報知部５６によって、その住戸に対応する連絡先に対して、住戸内で居住者の安否に異常が生じていることを示す判定結果が報知される（ステップＳ２１）。
【０１０７】
居住者は、１日に１回、あるいは数日に１回程度は仕事や買い物等で外出するのが普通である。従って、在宅判定期間Ｔｊ１を適宜設定することにより、外出せずに連続して在宅している期間が在宅判定期間Ｔｊ１を超えた場合、外出することができないような、何らかの異常が生じている可能性が高い。そこで、連続して在宅している期間が在宅判定期間Ｔｊ１を超える在宅情報があったとき、安否判定部５５は、その在宅情報と対応する住戸内で居住者の安否に異常が生じていると判定することができる。
【０１０８】
一方、在宅情報記憶部５７に記憶されている各住戸の在宅情報のうち、連続して不在を示している期間が不在判定期間Ｔｊ２を超える在宅情報があったとき、安否判定部５５によって、その在宅情報と対応する住戸の居住者に、外出先で安否に異常が生じていると判定される。そして、異常報知部５６によって、その住戸に対応する連絡先に対して、外出先で居住者の安否に異常が生じていることを示す判定結果が報知される（ステップＳ２２）。
【０１０９】
居住者が外出したまま不在判定期間Ｔｊ２を超える期間、帰宅しなかった場合、例えば事故が発生するなど事情によりその居住者に、外出先から帰宅できないような何らかの異常が生じている可能性が高い。そこで、帰宅することなく連続して不在となっている期間が不在判定期間Ｔｊ２を超える在宅情報があったとき、安否判定部５５は、その在宅情報と対応する住戸の居住者の安否に、外出先で異常が生じていると判定することができる。
【０１１０】
以上、ステップＳ２１，Ｓ２２の処理によれば、住戸内で居住者の安否に異常が生じた場合のみならず、外出先で居住者の安否に異常が生じた場合であっても、予め連絡先記憶部５８に記憶された連絡先に対して、居住者の安否に異常が生じたことを連絡することができる。
【０１１１】
なお、経路上認証情報取得部をエレベータ乗場のカードリーダ８３及びエレベータのかご内のカードリーダ８４として設ける例を示したが、経路上認証情報取得部は、共用ゲート２３３から各住戸に至る経路上に設けられていればよく、エレベータ以外の場所に設けられていてもよい。また、安否確認システム１は、経路上認証情報取得部及び経路上認証処理部を備えず、ステップＳ２，Ｓ３，Ｓ１５，Ｓ１６を実行しない構成であってもよい。また、安否確認システム１は、住戸外判定部５４を備えず、ステップＳ６，Ｓ１４を実行しない構成であってもよい。
【０１１２】
また、安否確認システム１は、安否判定部５５及び異常報知部５６を備えない所在管理システムとして構成されていてもよい。
【符号の説明】
【０１１３】
１    安否確認システム
２    集合住宅
３    出入口扉
３ａ  扉外側
３ｂ  扉内側
５    管理装置
６    ＬＡＮ
８    エレベータ
２１  建屋本体
２２  通路
２３  エントランス
２４  ドアセンサ
３１  ドアノブ
３２  インターホン子機
３３  カードリーダ（住戸側第一認証情報取得部）
３５  表示装置
３６  インターホン親機
３７  カードリーダ（住戸側第二認証情報取得部）
３８  制御部
３９  電子錠
５０  玄関側認証処理部
５１  エレベータ制御部（経路上認証処理部）
５２  共用ゲート開閉処理部
５３  在宅処理部
５４  住戸外判定部
５５  安否判定部
５６  異常報知部
５７  在宅情報記憶部
５８  連絡先記憶部
８２  扉
８３，８４  カードリーダ（経路上認証情報取得部）
１０１〜１０３，２０１〜２０３      住戸
２３１      玄関扉
２３２      認証装置
２３３      共用ゲート
２３４      無線通信部
２３４Ａ    領域
２３５      共用ゲート駆動部
３０１      ドアモジュール
３２１      呼出釦
３２２，３６１    マイク
３２３，３６２    スピーカ
３２４      カメラ
３８１      住戸側認証処理部（住戸側第一認証処理部，住戸側第二認証処理部）
３８２      扉解錠処理部（第一扉解錠処理部，第二扉解錠処理部）
Ｔｊ１      在宅判定期間
Ｔｊ２      不在判定期間
【図１】
2016207080.tif 000003
【図２】
2016207080.tif 000004
【図３】
2016207080.tif 000005
【図４】
2016207080.tif 000006
【図５】
2016207080.tif 000007
【図６】
2016207080.tif 000008